(57)【要約】【課題】表示部に表示する映像をテレビジョン受像機の画像表示部に表示可能な状態で、テレビジョン受像機のリモートコントローラとしても使用可能な状態であり，テレビジョン受像機に対する操作を不要として操作の煩雑さを解消した携帯型電子機器，及びこのような携帯型電子機器とテレビジョン受像機とを具備したテレビジョン受像機操作システムを提供すること。【解決手段】テレビジョン受像機とＨＤＭＩ規格に準拠した信号伝送を行い，テレビジョン受像機を制御するための制御情報を，ＣＥＣ信号伝送ラインを通じてテレビジョン受像機から取得し，映像信号をテレビジョン受像機にＴＭＤＳ信号伝送ラインを通じて送信可能な状態で，テレビジョン受像機から取得した制御情報に基づいて，テレビジョン受像機の制御を指示するための制御信号を，ＣＥＣ信号伝送ラインを通じてテレビジョン受像機に送信する。【選択図】図２
2008109341.tif 000002
【特許請求の範囲】
【請求項１】
情報入力に用いられる操作部と，映像を表示する第１の映像表示部を備えた携帯型電子機器であって，
選局された放送チャンネル信号の映像を表示する第２の映像表示部を備えたテレビジョン受像機との間で，ＴＭＤＳ信号伝送ライン及びＣＥＣ信号伝送ラインを含む信号伝送媒体を通じてＨＤＭＩ規格に準拠した信号伝送を行う信号伝送手段と，
前記テレビジョン受像機において選局可能な放送チャンネル信号の候補の情報であるテレビジョン側チャンネル情報を，前記信号伝送手段による前記ＣＥＣ信号伝送ラインを通じた信号伝送により前記テレビジョン受像機から受信するテレビジョン側チャンネル情報取得手段と，
前記操作部に対する操作に応じて，前記第１の映像表示部に表示可能な自装置側画面の候補と前記テレビジョン側チャンネル情報に基づく前記放送チャンネル信号の候補との中から出力対象を選択する出力対象選択手段と，
前記出力対象選択手段により前記自装置側画面の候補の中から前記出力対象が選択された場合に，選択された前記自装置側画面の映像信号を，前記信号伝送手段による前記ＴＭＤＳ信号伝送ラインを通じた信号伝送により前記テレビジョン受像機へ送信するとともに，前記自装置側画面の映像信号に基づく映像を前記第２の映像表示部に拡大表示させるためのコマンドを，前記信号伝送手段による前記ＣＥＣ信号伝送ラインを通じた信号伝送により前記テレビジョン受像機へ送信する第１の出力制御手段と，
前記出力対象選択手段により前記テレビジョン側チャンネル情報に基づく前記放送チャンネル信号の候補の中から前記出力対象が選択された場合に，選択された前記放送チャンネル信号の映像を前記第２の映像表示部に表示させるためのコマンドを，前記信号伝送手段による前記ＣＥＣ信号伝送ラインを通じた信号伝送により前記テレビジョン受像機へ送信する第２の出力制御手段と，
を具備してなることを特徴とする携帯型電子機器。
【請求項２】
前記出力対象選択手段が，前記テレビジョン側チャンネル情報に基づく前記放送チャンネル信号の候補の情報と前記自装置側画面の候補の情報とを選択候補として表示する選択メニュー画面を前記第１の映像表示部に表示させ，該選択メニュー画面における選択候補の中から前記操作部に対する操作に応じて前記出力対象を選択してなる請求項１に記載の携帯型電子機器。
【請求項３】
電話機能を具備する請求項１又は２に記載の携帯型電子機器。
【請求項４】
前記自装置側画面の候補が，所定の記憶部に記憶された電子メール情報，スケジュール情報及びアドレス情報のそれぞれの表示画面うちの１又は複数を含んでなる請求項１〜３のいずれかに記載の携帯型電子機器。
【請求項５】
放送信号を受信して該放送信号における放送チャンネル信号の映像を前記第１の映像表示部に表示させる放送受信・出力手段を具備し，
前記自装置側画面の候補が，前記放送受信・出力手段により前記第１の映像表示部に表示される画面を含んでなる請求項１〜４のいずれかに記載の携帯型電子機器。
【請求項６】
前記操作部に対する操作に応じて，前記テレビジョン受像機にその出力音量を変更させるコマンド及び前記テレビジョン受像機にその通電状態を切り替えさせるコマンドのうちの一方又は両方を，前記信号伝送手段による前記ＣＥＣ信号伝送ラインを通じた信号伝送により前記テレビジョン受像機に送信可能な制御コマンド出力手段を具備してなる請求項１〜５のいずれかに記載の携帯型電子機器。
【請求項７】
受信した複数の放送チャンネル信号の中から選局を行う選局手段及び該選局手段により選局された放送チャンネル信号に基づく映像を表示する映像表示部を備えたテレビジョン受像機であって，
所定の携帯型電子機器との間で，ＴＭＤＳ信号伝送ライン及びＣＥＣ信号伝送ラインを含む信号伝送媒体を通じてＨＤＭＩ規格に準拠した信号伝送を行う信号伝送手段と，
前記選局手段により選局可能な放送チャンネル信号の候補の情報であるテレビジョン側チャンネル情報を，前記信号伝送手段による前記ＣＥＣ信号伝送ラインを通じた信号伝送により前記携帯型電子機器に対して送信するテレビジョン側チャンネル情報送信手段と，
前記信号伝送手段による前記ＣＥＣ信号伝送ラインを通じた信号伝送により前記携帯型電子機器から受信するコマンドに応じて，前記選局手段により選局可能な放送チャンネル信号の候補の中から前記携帯型電子機器側で選択された放送チャンネル信号の映像と，前記信号伝送手段による前記ＴＭＤＳ信号伝送ラインを通じた信号伝送により前記携帯型電子機器から受信される映像信号に基づく映像との一方又は両方を前記映像表示部に表示させる映像表示制御手段と，
を具備してなることを特徴とするテレビジョン受像機。
【請求項８】
請求項１〜６のいずれかに記載の携帯型電子機器と，請求項７に記載のテレビジョン受像機とを具備してなることを特徴とするテレビジョン受像機操作システム。
【発明の詳細な説明】
【技術分野】
【０００１】
本発明は，ＨＤＭＩ（High Definition Multimedia Interface）規格に準拠した信号伝送手段を通じて，携帯型電子機器とテレビジョン受像機とが通信可能に構成されたテレビジョン受像機操作システム，及びそれを構成する携帯型電子機器並びにテレビジョン受像機に関するものである。
【背景技術】
【０００２】
携帯電話機等の携帯型電子機器は，情報入力に用いられる操作部と，映像を表示するための映像表示部を備えている。この様な携帯型電子機器は，映像表示部の高解像度化及び大型化が進む一方，携帯の利便性を高めるために小型化が進んでおり，その映像表示部の大型化には限界がある。これに対し，例えば特許文献１や特許文献２等には，携帯型電子機器を，比較的大きな画像表示部を有するテレビジョン受像機にビデオケーブル等で接続し，携帯型電子機器の表示部に表示された映像をテレビジョン受像機の画像表示部に拡大表示することが提案されている。
【特許文献１】特開２０００−３２４５４４号公報
【特許文献２】特開２００２−１６４９６８号公報
【発明の開示】
【発明が解決しようとする課題】
【０００３】
しかしながら，従来の携帯型電子機器とテレビジョン受像機とを組み合わせたシステムでは，テレビジョン受像機に対する動作指定のための操作はテレビジョン受像機の操作部に対して行う必要があり，一方，携帯型電子機器に対する動作指定のための操作は携帯型電子機器の操作部に対して行う必要がある。
例えば，携帯型電子機器の表示部に表示された映像がテレビジョン受像機の画像表示部に拡大表示された状態から，テレビジョン受像機の画像表示部に所望の放送チャンネル信号に基づく映像を表示させるためには，テレビジョン受像機の操作部（例えば，リモートコントローラ）に対して選局（チャンネル選択）操作を行う必要がある。一方，テレビジョン受像機の画像表示部に拡大表示させる携帯型電子機器側の画面の切り替えを行うためには，携帯型電子機器の操作部に対する画面切り替え操作を行う必要がある。
このように，従来の携帯型電子機器とテレビジョン受像機とを組み合わせたシステムは，テレビジョン受像機と携帯型電子機器の両方に対して操作を行う必要があり，その操作が煩雑であった。
従って，本発明は上記事情に鑑みてなされたものであり，その目的とするところは，映像表示部に表示可能な映像をテレビジョン受像機の映像表示部に表示することが出来，且つ，携帯型電子機器側の操作部に対する操作によってテレビジョン受像機を制御出来る構成を備え，これによってテレビジョン受像機を制御するためのテレビジョン受像機に対する操作を不要として操作の煩雑さを解消出来る携帯型電子機器，及びこのような携帯型電子機器とテレビジョン受像機とを具備したテレビジョン操作システムを提供することにある。
【課題を解決するための手段】
【０００４】
上記目的を達成するために本発明は，情報入力に用いられる操作部と，映像を表示する第１の映像表示部を備えた携帯型電子機器であって，以下（１）〜（５）の構成要素を備えている。
（１）選局された放送チャンネル信号に基づく映像を表示する第２の映像表示部を備えたテレビジョン受像機との間で，ＴＭＤＳ信号伝送ライン及びＣＥＣ信号伝送ラインを含む信号伝送媒体を通じてＨＤＭＩ規格に準拠した信号伝送を行う信号伝送手段。
（２）前記テレビジョン受像機において選局可能な放送チャンネル信号の候補の情報であるテレビジョン側チャンネル情報を，前記信号伝送手段による前記ＣＥＣ信号伝送ラインを通じた信号伝送により前記テレビジョン受像機から受信するテレビジョン側チャンネル情報取得手段。
（３）前記操作部に対する操作に応じて，前記第１の映像表示部に表示可能な自装置側画面の候補と前記テレビジョン側チャンネル情報に基づく前記放送チャンネル信号の候補との中から出力対象を選択する出力対象選択手段。
（４）前記出力対象選択手段により前記自装置側画面の候補の中から前記出力対象が選択された場合に，選択された前記自装置側画面の映像信号を，前記信号伝送手段による前記ＴＭＤＳ信号伝送ラインを通じた信号伝送により前記テレビジョン受像機へ送信するとともに，前記自装置側画面の映像信号に基づく映像を前記第２の映像表示部に拡大表示させるためのコマンドを，前記信号伝送手段による前記ＣＥＣ信号伝送ラインを通じた信号伝送により前記テレビジョン受像機へ送信する第１の出力制御手段。
（５）前記出力対象選択手段により前記テレビジョン側チャンネル情報に基づく前記放送チャンネル信号の候補の中から前記出力対象が選択された場合に，選択された前記放送チャンネル信号に基づく映像を前記第２の映像表示部に表示させるためのコマンドを，前記信号伝送手段による前記ＣＥＣ信号伝送ラインを通じた信号伝送により前記テレビジョン受像機へ送信する第２の出力制御手段。
【０００５】
上記本発明に係る携帯型電子機器は，ＴＭＤＳ信号伝送ラインを通じてテレビジョン受像機に映像信号を送信することによって，自装置側画面をテレビジョン受像機の第２の映像表示部に拡大表示させることが出来る。
なお，前記携帯型電子機器において，テレビジョン受像機との間で信号伝送を行う信号伝送手段はＨＤＭＩ規格に準拠しており，その信号伝送手段は，ＴＭＤＳ信号伝送ラインを通じた信号（デジタルの映像信号及び音声信号）については一方向にのみ伝送可能であるが，ＣＥＣ信号伝送ラインを通じた制御系の情報伝送は双方向で可能である。
【０００６】
従って，本発明に係る携帯型電子機器は，テレビジョン受像機において選局可能な放送チャンネル信号の候補の情報を，テレビジョン受像機からＣＥＣ信号伝送ラインを通じて取得し，取得した前記情報に基づき，当該携帯型電子機器の操作部に対する操作に応じて，テレビジョン受像機に特定の放送チャンネル信号を選択させるためのコマンドを生成する。そして，携帯型電子機器は，当該携帯型電子機器の操作部に対する操作に応じて生成したコマンドを，ＣＥＣ信号伝送ラインを通じてテレビジョン受像機に送信することによって，携帯型電子機器側で選択した特定の放送チャンネル信号に基づく映像を，テレビジョン受像機の第２の映像表示部に表示させる。
【０００７】
この様に，上記本発明に係る携帯型電子機器は，ＴＭＤＳ信号伝送ラインを通じてテレビジョン受像機に映像信号を送信することによって，自装置側画面をテレビジョン受像機の第２の映像表示部に拡大表示させることが可能であると共に，その操作部に対する操作に応じてテレビジョン受像機を制御することも出来るため，テレビジョン受像機を制御するためにテレビジョン受像機に対する操作を行う必要がない。その結果，前記携帯型電子機器と前記テレビジョン受像機とが接続されたシステムについて，操作の煩雑さが解消される。
【０００８】
又，本発明に係る携帯型電子機器は，テレビジョン受像機からそのテレビジョン受像機自体のテレビジョン側チャンネル情報を受信するので，接続されるテレビジョン受像機ごとに選局可能な放送チャンネル信号が異なる場合であっても，接続されたテレビジョン受像機それぞれに応じた制御を行うことが可能であり，選局可能な放送チャンネル信号の候補の情報が予め設定されている場合に比べ，汎用性に優れている。
【０００９】
具体的な構成において，前記出力対象選択手段が，前記テレビジョン側チャンネル情報に基づく前記放送チャンネル信号の候補の情報と，前記自装置側画面の候補の情報とを選択候補として表示する選択メニュー画面を前記第１の映像表示部に表示させ，該選択メニュー画面における選択候補の中から前記操作部に対する操作に応じて前記出力対象を選択してなる。
【００１０】
該具体的な構成によれば，テレビジョン受像機の第２の映像表示部に表示させる映像として，テレビジョン受像機側の放送チャンネル信号に基づく映像か，或いは携帯型電子機器の自装置側画面の映像かを選択する操作が容易である。
【００１１】
更に具体的な構成において，電話機能を具備する。より具体的な構成において，前記自装置側画面の候補が，所定の記憶部に記憶された電子メール情報，スケジュール情報及びアドレス情報のそれぞれの表示画面うちの１又は複数を含んでなる。更に，放送信号を受信して該放送信号における放送チャンネル信号に基づく映像を前記第１の映像表示部に表示させる放送受信・出力手段を具備し，前記自装置側画面の候補が，前記放送受信・出力手段により前記第１の映像表示部に表示される画面を含んでなる。
【００１２】
更に具体的な構成において，前記操作部に対する操作に応じて，前記テレビジョン受像機にその出力音量を変更させるコマンド及び前記テレビジョン受像機にその通電状態を切り替えさせるコマンドのうちの一方又は両方を，前記信号伝送手段による前記ＣＥＣ信号伝送ラインを通じた信号伝送により前記テレビジョン受像機に送信可能な制御コマンド出力手段を具備してなる。
【００１３】
該具体的な構成によれば，携帯型電子機器を，テレビジョン受像機用のリモートコントローラと同様に使用することが出来る。
【００１４】
また，本発明は，以上に示した本発明に係る携帯型電子機器と接続される前記テレビジョン受像機として捉えることもできる。即ち，本発明に係るテレビジョン受像機は，受信した複数の放送チャンネル信号の中から選局を行う選局手段及び該選局手段により選局された放送チャンネル信号基づく映像を表示する映像表示部を備え，さらに，以下（１）〜（３）の構成要素を備えている。
（１）所定の携帯型電子機器との間で，ＴＭＤＳ信号伝送ライン及びＣＥＣ信号伝送ラインを含む信号伝送媒体を通じてＨＤＭＩ規格に準拠した信号伝送を行う信号伝送手段。
（２）前記選局手段により選局可能な放送チャンネル信号の候補の情報であるテレビジョン側チャンネル情報を，前記信号伝送手段による前記ＣＥＣ信号伝送ラインを通じた信号伝送により前記携帯型電子機器に対して送信するテレビジョン側チャンネル情報送信手段。
（３）前記信号伝送手段による前記ＣＥＣ信号伝送ラインを通じた信号伝送により前記携帯型電子機器から受信するコマンドに応じて，前記選局手段により選局可能な放送チャンネル信号の候補の中から前記携帯型電子機器側で選択された放送チャンネル信号に基づく映像と，前記信号伝送手段による前記ＴＭＤＳ信号伝送ラインを通じた信号伝送により前記携帯型電子機器から受信される映像信号に基づく映像との一方又は両方を前記映像表示部に表示させる映像表示制御手段。
【００１５】
上記本発明に係るテレビジョン受像機操作システムは，携帯型電子機器から受信されるコマンドに応じて，選局可能な放送チャンネル信号に基づく映像と，携帯電話機から受信した映像信号に基づく映像との中から，テレビジョン受像機の画像表示部によって表示する映像を選択することが出来，テレビジョン受像機の画像表示部によって表示する映像を選択するためのテレビジョン受像機に対する操作が不要となり，操作の煩雑さが解消される。
【００１６】
また，本発明は，上記携帯型電子機器と上記テレビジョン受像機とを具備するテレビジョン受像機操作システムとして捉えることもできる。
【００１７】
上記本発明に係るテレビジョン受像機操作システムによれば，携帯型電子機器の映像表示部に表示可能な映像をテレビジョン受像機の映像表示部に拡大表示させることが出来る。更に，テレビジョン受像機は，携帯型電子機器により制御されるので，テレビジョン受像機を制御するためにテレビジョン受像機に対する操作を行う必要がなく，テレビジョン受像機を制御するためにテレビジョン受像機に対する操作を行う必要がある場合に比べて操作の煩雑さが解消される。
【発明の効果】
【００１８】
本発明によれば，映像表示部に表示可能な映像をテレビジョン受像機の映像表示部に表示することが出来，且つ，操作部に対する操作によってテレビジョン受像機を制御し，テレビジョン受像機を制御するためのテレビジョン受像機に対する操作を不要として操作の煩雑さを解消出来る携帯型電子機器，及びこのような携帯型電子機器とテレビジョン受像機とを具備したテレビジョン受像機操作システムを提供することが出来る。
【発明を実施するための最良の形態】
【００１９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る携帯電話機（携帯型電子機器の一例）とテレビジョン受像機とから構成されたテレビジョン受像機操作システムの全体概略図，図２は本発明の実施形態に係るテレビジョン受像機操作システムの概略構成を表すブロック図，図３は本発明の実施形態に係る携帯電話機の処理手順を表すフローチャート，図４は本発明の実施形態に係るテレビジョン受像機の処理手順を表すフローチャート，図５は携帯電話機における選択メニュー画面の一例を示す図，図６は携帯電話機の表示部に表示された映像がテレビジョン受像機の画像表示部に表示された状態を示す図，図７は携帯電話機における操作用画面の一例を示す図，図８はテレビジョン受像機の画像表示部に携帯電話機の映像と放送チャンネルの映像が表示表示された状態を示す図である。
【００２０】
［携帯電話機］
まず，図１に示す全体概略図を参照しつつ，本発明の実施形態に係るテレビジョン受像機操作システムの構成について説明する。
図１に示す様に，本発明の実施形態に係る携帯電話機１は，送話部１４，受話部１３，及びアンテナ部１２とを有していると共に，内蔵された電子回路に情報を入力するための複数の操作キー１５が配置された操作部１１，前記電子回路に含まれる映像処理回路により処理された映像を表示する表示部（第１の映像表示部）１０とを具備している。
【００２１】
前記携帯電話機１は，外部の信号発信装置（いわゆる無線基地局）から発信された通話音声等の音声信号をアンテナ部１２により受信し，受信した音声信号に基づく音声情報を受話部１３，或いはスピーカ（図示省略）から出力する音声受信機能に加え，外部の信号発信装置から発信された電子メール情報を伝送する無線信号をアンテナ部１２により受信し，受信した信号に基づく電子メール情報の映像を表示部１０に表示するメール受信機能を備えている。
【００２２】
前記携帯電話機１は，更に，地上デジタル波放送信号（いわゆるワンセグの放送信号）をアンテナ部１２により受信し，受信した放送信号に基づく映像を表示部１０に表示すると共に，受信した放送信号に基づく音声をスピーカ（図示省略）から出力する地上デジタル波放送受信機能を備えている。
【００２３】
又，前記携帯電話機１は，送話部１４に向けて発せられたユーザの通話音声を，音声信号としてアンテナ部１２から外部の信号受信装置（いわゆる無線基地局）に送信する音声送信機能に加え，ユーザにより作成された電子メール情報を伝送する無線信号をアンテナ部１２から外部の信号受信装置に送信するメール送信機能を備えている。作成中の電子メール情報を表す画像（以下，メール画像という）は表示部１０に表示され，ユーザは，作成途中のメール画像を表示部１０により確認しながら，操作部１１に対する操作によって電子メール情報を入力することが出来る。
【００２４】
又，携帯電話機１は，アドレス帳やスケジュール表等の情報を入力及び保存する機能を備えており，保存されたアドレス帳やスケジュール表の情報を，その情報を表す映像信号に変換し，その映像信号に基づく映像を表示部１０に表示することが出来る。
【００２５】
［テレビジョン受像機］
テレビジョン受像機操作システムを構成するテレビジョン受像機３は，内蔵された電子回路を操作するためのリモートコントローラ３２，前記電子回路に含まれる画像処理回路により処理された映像を表示する画像表示部（第２の映像表示部）３０とを具備している。
ここで，テレビジョン受像機３の画像表示部３０は，携帯電話機１の表示部１０よりもサイズが大きく，解像度も高い。
【００２６】
前記テレビジョン受像機３は，複数の放送チャンネル信号を受信することが可能であり，受信可能な複数の放送チャンネル信号の中から前記リモートコントローラ３２に対する操作に応じて特定の放送チャンネル信号を選局し，選択した放送チャンネル信号に基づく映像を画像表示部３０により表示し，同時にその放送チャンネル信号に基づく音声をスピーカ３１により出力する。
【００２７】
前記携帯電話機１と前記テレビジョン受像機３とは，信号ケーブル２により互いに接続されている。この信号ケーブル２は，ＨＤＭＩ規格に準拠しており，ＴＭＤＳ信号伝送ラインとＣＥＣ信号伝送ラインとを有している。
前記信号ケーブル２におけるＴＭＤＳ信号伝送ラインは，映像信号及び音声信号を一方向にのみ伝送可能であり，映像信号及び音声信号は，ＴＭＤＳ信号伝送ラインにより符号化（圧縮）されることなくベースバンド方式で伝送される。従って，携帯電話機１とテレビジョン受像機３との間における信号の符号化方式の違いに影響されず，拡張性及び永続性（将来，新たな符号化方式を採用する機器とも接続できる可能性）に優れている。
【００２８】
また，本実施形態においては，後述の様に，前記携帯電話機１が，前記信号ケーブル２のＴＭＤＳ信号伝送ラインを通じて映像信号を前記テレビジョン受像機３に送信する機能を備えている。これにより，前記携帯電話機１の表示部１０に表示可能な映像が，前記テレビジョン受像機３の画像表示部３０に拡大表示される。
【００２９】
一方，前記信号ケーブル２におけるＣＥＣ信号伝送ラインは，制御系の情報を双方向に伝送可能な信号伝送媒体である。後述の様に，前記携帯電話機１と前記テレビジョン受像機３とは，前記信号ケーブル２のＣＥＣ信号伝送ラインを通じて前記テレビジョン受像機３を制御するための情報を互いに送受信する。そして，前記テレビジョン受像機３の制御，例えば，放送チャンネル信号の選択，画像表示部３０に表示させる映像の選択，スピーカ３１から出力させる音声の音量調整，通電状態切替等の制御が，前記携帯電話機１の操作部１１に対する操作により行われる。
【００３０】
次に，図２に示すブロック図を参照しつつ，本発明の実施形態に係るテレビジョン操作システムのより詳細な構成について説明する。
［携帯電話機］
先ず，前記携帯電話機１に内蔵された電子回路４について説明する。
前記携帯電話機１に内蔵された電子回路４は，操作部１１に対する操作を反映して電子回路４全体を制御するための制御回路４１，前記アンテナ部１２に接続されたアンテナ端子部１２ａ，そのアンテナ端子部１２ａから入力される信号（電子メール情報や放送信号，或いは通話音声を伝送する信号）を受信する受信回路４３，前記アンテナ端子部１２ａから入力された地上デジタル波放送信号を受信するチューナ４２，及び前記アンテナ端子部１２ａに向けて無線送信用の信号（電子メール情報や通話音声を伝送する信号）を出力する送信回路４７を備えている。
更に，携帯電話機１の電子回路４は，テレビジョン受像機３とＨＤＭＩ規格に準拠した信号伝送を行うためのＨＤＭＩ中継回路５を有している。
【００３１】
前記制御回路４１は，演算手段であるＭＰＵ４１ａ，そのＭＰＵ４１ａによって実行される制御プログラムが予め格納される記憶手段であるＲＯＭ（ＥＰＲＯＭ）４１ｂ，ＭＰＵ４１ａが実行する処理において読み書きされる各種情報を記憶するＥＥＰＲＯＭ４１ｃ等を備えている。
前記制御回路４１は，操作部１１に対する操作内容を検知し，検知した操作内容に応じて各種の制御を実行する。
【００３２】
外部の信号発信装置から携帯電話機１に向けて発信された無線信号は，アンテナ部１２により受信され，アンテナ端子部１２ａを経由して前記チューナ４２及び前記受信回路４３へ伝送される。
前記受信回路４３は，入力された信号が電子メール情報の信号を含む場合には，その電子メール情報の信号を抽出して前記制御回路４１へ伝送する。そして，前記制御回路４１は，その電子メール情報の信号から電子メール情報を抽出してＥＥＰＲＯＭ４１ｃに記憶させる。
【００３３】
又，前記受信回路４３は，入力された信号が通話音声の信号を含む場合には，その通話音声の信号を抽出して受信用の音声処理回路４９ａへ伝送する。そして，前記音声処理回路４９ａは，受信回路４３から伝送される音声信号に各種処理を施して受話部１３，或いはスピーカ（図示省略）に対して出力する。これにより，受信した通話音声が受話部１３，或いはスピーカから出力される。
【００３４】
前記チューナ４２は，入力された信号が地上デジタル波放送信号を含む場合，その地上デジタル波放送信号の中から，制御回路４１からの指示に従って特定の放送チャンネルの信号を選局する。さらに，チューナ４２は，選局した放送チャンネルの信号に含まれる映像信号及び音声信号を抽出し，それらを映像処理回路４０及び音声処理回路４９ａのそれぞれへ伝送する。
前記映像処理回路４０は，チューナ４２から伝送される映像信号に各種処理を施して前記表示部１０に対して出力する。これにより，放送番組の映像が前記表示部１０に表示される。また，前記音声処理回路４９ａは，チューナ４２から伝送される音声信号に各種処理を施してスピーカ（図示省略）及びＨＤＭＩ中継回路５に対して出力する。これにより，放送番組の音声が前記スピーカから出力される。
また，音声処理回路４９ａからＨＤＭＩ中継回路５へと出力された音声信号は，信号変換回路５３によりＨＤＭＩ規格に準拠した音声信号に変換される。そして，その音声信号は，信号変換回路５３からＴＭＤＳインターフェース５２に出力され，信号ケーブル２のＴＭＤＳ信号伝送ライン２０を通じてテレビジョン受像機３に送信される。
【００３５】
また，前記制御回路４１は，前記操作部１１に対するメール作成操作に応じて送信用の電子メール情報を設定し，その電子メール情報を，映像処理回路４０に伝送するとともにＥＥＰＲＯＭ４１ｃに記憶させる。ここで，映像処理回路４０は，電子メール情報を，その情報を表す映像信号に変換して前記表示部１０に対して出力する。これにより，電子メール情報を表す画像が前記表示部１０に表示される。
また，前記制御回路４１は，前記操作部１１に対するメール送信操作に応じて，前記ＥＥＰＲＯＭ４１ｃに記憶させた送信用の電子メール情報を送信回路４７へ伝送する。この送信回路４７は，入力された電子メール情報を，その情報を無線送信する信号に変換し，変換後の信号を，前記アンテナ端子部１２ａを通じて前記アンテナ部１２に対して出力する。
【００３６】
また，通話中において，前記送話部１４は，ユーザ（話者）により発せられた通話音声を音声信号に変換して送信用の音声処理回路４９ｂへ伝送する。さらに，その音声処理回路４９ｂは，各種の信号処理を施して処理後の音声信号を前記送信回路４７に伝送する。そして，前記送信回路４７は，通話音声の音声信号を無線送信する信号に変換し，変換後の信号を，前記アンテナ端子部１２ａを通じて前記アンテナ部１２に対して出力する。
【００３７】
更に，メニュー画面，アドレス帳及びスケジュール表等の各情報は，前記制御回路４１内のＥＥＰＲＯＭ４１ｃに記憶されており，前記制御回路４１は，前記操作部１１に対する操作に応じてそれらの情報を読み出して前記映像処理回路４０に伝送する。そして，前記映像処理回路４０は，前記制御回路４１から入力された情報を，その情報を表す映像信号に変換して前記表示部１０に対して出力する。これにより，メニュー画面，アドレス帳及びスケジュール表等の各情報を表す画像が前記表示部１０に表示される。
【００３８】
制御回路４１は，ユーザの操作部１１に対する操作に応じて，受信したメール画像，地上デジタル放送の映像，作成中のメール画像，メニュー画面の画像，アドレス帳の画像，或いはスケジュール表の画像等，複数の映像の中から何れかの映像に対応する映像信号を選択する。そして，制御回路４１により選択された映像信号が，映像処理回路４０から前記表示部１０に対して出力される。
また，映像処理回路４０は，前記操作部１１に対する操作に応じて，前記表示部１０に対して出力する映像信号をＨＤＭＩ中継回路５に対しても出力する。
【００３９】
ＨＤＭＩ中継回路５は，映像処理回路４０に接続されたＴＭＤＳインターフェース５２，及び映像処理回路４０とＴＭＤＳインターフェース５２の間に介在する信号変換回路５３とを備えており，ＴＭＤＳインターフェース５２は，信号ケーブル２のＴＭＤＳ信号伝送ライン２０を通じてテレビジョン受像機３と繋がっている。
【００４０】
映像処理回路４０からＨＤＭＩ中継回路５へと出力された映像信号は，信号変換回路５３によりＨＤＭＩ規格に準拠した映像信号に変換される。そして，信号変換回路５３からＴＭＤＳインターフェース５２に出力され，信号ケーブル２のＴＭＤＳ信号伝送ライン２０を通じてテレビジョン受像機３に送信される。
【００４１】
又，ＨＤＭＩ中継回路５は，制御回路４１に接続されたＣＥＣインターフェース５１，及び制御回路４１とＣＥＣインターフェース５１との間に介在するサブＭＰＵ５４とを備えており，ＣＥＣインターフェース５１は，信号ケーブル２のＣＥＣ信号伝送ライン２１を通じてテレビジョン受像機３と繋がっている。
【００４２】
制御回路４１は，テレビジョン受像機３の制御のために必要な制御情報をテレビジョン受像機３から取得するために，制御情報要求信号を，ＨＤＭＩ中継回路５を通じてテレビジョン受像機３に対して送信する。より具体的には，制御回路４１から出力された制御情報要求信号が，サブＭＰＵ５４及びＣＥＣインターフェース５１を介し，信号ケーブル２のＣＥＣ信号伝送ライン２１を通じてテレビジョン受像機３に送信される。尚，テレビジョン受像機３の制御のために必要な制御情報には，テレビジョン受像機３において選局可能な放送チャンネル信号の候補情報が含まれる。
【００４３】
後述の様に，テレビジョン受像機３は，携帯電話機１から制御情報要求信号を受信すると，携帯電話機１に制御情報を送信する。テレビジョン受像機３から送信された制御情報は，信号ケーブル２のＣＥＣ信号伝送ライン２１を通じ，ＣＥＣインターフェース５１及びサブＭＰＵ５４を通じて携帯電話機１の制御回路４１に伝送される。
【００４４】
携帯電話機１の制御回路４１は，テレビジョン受像機３から取得した制御情報に基づき，又，操作部１１に対する操作に応じて，テレビジョン受像機３に実行させる処理を指示するためのコマンドを生成する。そして，制御回路４１により生成されたコマンドは，サブＭＰＵ５４及びＣＥＣインターフェース５１を介し，信号ケーブル２のＣＥＣ信号伝送ライン２１を通じてテレビジョン受像機３に送信される。
【００４５】
尚，図２において，ＨＤＭＩ中継回路５が内蔵された携帯電話機１を示しているが，ＨＤＭＩ中継回路５を内蔵していない携帯電話機と，ＨＤＭＩ中継回路５の役割を果たすＨＤＭＩ中継器を接続して携帯電話機ユニットを構成し，該携帯電話機ユニットとテレビジョン受像機３とを信号ケーブル２により接続する構成も可能である。
【００４６】
［テレビジョン受像機３］
次に，本発明の実施形態に係るテレビジョン受像機３に内蔵された電子回路について説明する。テレビジョン受像機３に内蔵された電子回路７は，電子回路７全体を制御するための制御回路７１，複数の放送チャンネル信号を受信するチューナ７２，及びリモートコントローラ３２からの信号を受信するためのリモートコントローラインターフェース回路７３を備えており，更に，携帯電話機１とＨＤＭＩ規格に準拠した信号伝送を行うためのＨＭＤＩ接続部６を有している。ＨＭＤＩ接続部６は，ＣＥＣインターフェース６１とＴＭＤＳインターフェース６０を備えている。
【００４７】
テレビジョン受像機３の制御回路７１は，携帯電話機１の制御回路４１と同様に，ＭＰＵ，ＲＯＭ（ＥＰＲＯＭ），ＥＥＰＲＯＭ等を備えている。テレビジョン受像機３に対する前記コマンドを生成するために必要な制御情報は，前記制御回路７１のＥＥＰＲＯＭに格納されている。
【００４８】
テレビジョン受像機３の制御回路７１は，サブＭＰＵ７５を介してＨＭＤＩ接続部６のＣＥＣインターフェース６１に接続されている。ＣＥＣインターフェース６１は，信号ケーブル２のＣＥＣ信号伝送ライン２１を通じて携帯電話機１側のＣＥＣインターフェース５１と繋がっている。従って，テレビジョン受像機３の制御回路７１は，信号ケーブル２のＣＥＣ信号伝送ライン２１を通じて携帯電話機１の制御回路４１と繋がっている。
【００４９】
テレビジョン受像機３の制御回路７１は，信号ケーブル２のＣＥＣ信号伝送ライン２１を通じて携帯電話機１から制御情報要求信号を受信したとき，前記ＥＥＰＲＯＭに格納されている制御情報を，サブＭＰＵ７５，及びＣＥＣインターフェース６１を介し，信号ケーブル２のＣＥＣ信号伝送ライン２１を通じて携帯電話機１の制御回路４１に送信する。
【００５０】
前述の様に，携帯電話機１の制御回路４１は，テレビジョン受像機３の制御回路７１から取得した制御情報に基づき，テレビジョン受像機３に実行させる処理を指示するためのコマンドを生成し，生成したコマンドをテレビジョン受像機３に送信する。携帯電話機１の制御回路４１から送信されたコマンドは，信号ケーブル２のＣＥＣ信号伝送ライン２１を通じて，ＣＥＣインターフェース６１及びサブＭＰＵ７５を介してテレビジョン受像機３の制御回路７１に伝送される。
【００５１】
テレビジョン受像機３の制御回路７１は，携帯電話機１から受信したコマンドに基づいてテレビジョン受像機３の電子回路７を制御する。前記コマンドは，携帯電話機１の操作部１１に対する操作に応じて携帯電話機１の制御回路４１により生成されたものであるから，テレビジョン受像機３は，携帯電話機１の操作部１１に対する操作により制御されることになる。
【００５２】
テレビジョン受像機３のチューナ７２は，地上波放送信号やＢＳ衛星放送信号等の複数の放送チャンネル信号を受信する。前記チューナ７２は，テレビジョン受像機３の制御回路７１からの指示に応じて，複数の放送チャンネル信号の中から特定の放送チャンネル信号を選局し，選局した放送チャンネル信号に含まれる映像信号と音声信号を，それぞれ画像切替回路７４と音声切替回路７６とに出力する。
また，この制御回路７１は，前記携帯電話機１から特定の放送チャンネル信号の選局を指示するコマンドを受信した場合，そのコマンドの内容に従った指示を前記チューナ７２に対して出力する。
【００５３】
又，前記画像切替回路７４は，ＨＭＤＩ接続部６のＴＭＤＳインターフェース６０に接続されている。ＴＭＤＳインターフェース６０は，信号ケーブル２のＴＭＤＳ信号伝送ライン２０を通じて携帯電話機１側のＴＭＤＳインターフェース５２と繋がっている。従って，テレビジョン受像機３の画像切替回路７４は，信号ケーブル２のＴＭＤＳ信号伝送ライン２０を通じて携帯電話機１の映像処理回路４０と繋がっている。
【００５４】
前述の様に，携帯電話機１の映像処理回路４０から出力された映像信号は，信号変換回路５３によりＨＤＭＩ規格に準拠した映像信号に変換された後，携帯電話機１側のＴＭＤＳインターフェース５２からテレビジョン受像機３に向けて送信される。携帯電話機１側のＴＭＤＳインターフェース５２から送信された映像信号は，信号ケーブル２のＴＭＤＳ信号伝送ライン２０を通じ，テレビジョン受像機３側のＴＭＤＳインターフェース６０を介してテレビジョン受像機３の画像切替回路７４により受信される。
【００５５】
画像切替回路７４は，テレビジョン受像機３の制御回路７１の指示に応じて，チューナ７２から出力された映像信号（内部入力信号）と携帯電話機１から受信した映像信号（外部入力信号）の何れかを選択する。そして，画像切替回路７４は，選択した映像信号（内部入力信号，或いは外部入力信号）を画像処理回路７０に出力する。
また，前記制御回路７１は，前記携帯電話機１から，外部入力信号の選択を指示するコマンド，即ちその携帯電話機１から受信した映像信号の選択を指示するコマンドを受信した場合，そのコマンドの内容に従った指示を前記画像切替回路７４に対して出力する。
【００５６】
画像処理回路７０は，画像切替回路７４から入力された映像信号に対して各種の信号処理を施し，処理後の映像信号を画像表示部３０に対して出力する。これにより，画像表示部３０において，画像切替回路７４によって選択された映像信号に基づく映像が表示される。
【００５７】
ここで，画像処理回路７０は，携帯電話機１から受信した映像信号（外部入力信号）を，その表示サイズを画像表示部３０の画面サイズに合わせて拡大する映像信号に変換する。例えば，画像処理回路７０は，携帯電話機１から受信した低い解像度の映像信号を，それより高い解像度を有する画像表示部３０の解像度に合せた映像信号に変換する。その変換処理の際，画像処理回路７０は，画像表示部３０の表示画像にギザギザ感が生じないよう，周知のスムージング処理を併せて実行する。
【００５８】
この様に，本発明の実施形態に係るテレビジョン受像機操作システムは，携帯電話機１の操作部１１に対する操作に応じて，テレビジョン受像機３のチューナ７２により選局可能な放送チャンネル信号に基づく映像と，携帯電話機１の表示部１０に表示可能な映像との中から，テレビジョン受像機３の画像表示部３０によって表示する映像を選択することが出来る。
【００５９】
更に本発明の実施形態に係るテレビジョン受像機操作システムにおいて，テレビジョン受像機３の制御回路７１により音声切替回路７６が制御され，画像表示部３０に表示される映像に対応する音声がスピーカ３１から出力される。即ち，テレビジョン受像機３の音声切替回路７６は，テレビジョン受像機３の制御回路７１の指示に応じて，チューナ７２から出力された音声信号と携帯電話機１から送信された音声信号の何れかを選択する。この音声切替回路７６により選択された音声信号は，音声処理回路７７及びアンプ７８を通じてスピーカ３１へと出力される。
【００６０】
この制御回路７１は，前記携帯電話機１から外部入力信号の選択を指示するコマンド，即ち携帯電話機１から受信した音声信号の選択を指示するコマンドを受信した場合，そのコマンドの内容に従った指示を音声切替回路７６に対して出力する。音声処理回路７７は，音声切替回路７６から出力された音声信号に対してＤ／Ａ変換処理等を行う。音声処理回路７７によって処理された音声信号は，アンプ７８を介してスピーカ３１から音声として出力される。
【００６１】
アンプ７８は，音声処理回路７７から入力された音声信号に対し，テレビジョン受像機３の制御回路７１の指示応じて，増幅或いは減衰させる処理を行う。この制御回路７１は，前記携帯電話機１から，スピーカ３１の出力音量を増幅或いは減衰させるよう指示するコマンドを受信した場合，そのコマンドに従った指示をアンプ７８に対して出力する。
【００６２】
更に，テレビジョン受像機３の制御回路７１は，不図示の通電切替回路を制御することにより，チューナ７２，画像切替回路７４，画像処理回路７０，画像表示部３０，音声切替部７６，音声処理回路７７及びアンプ７８に対する電力供給のＯＮとＯＦＦとを切り替える。又，この制御回路７１は，前記携帯電話機１から，通電状態の切り替えを指示するコマンドを受信した場合，そのコマンドに従って，不図示の通電切替回路を制御する。
【００６３】
次に，図３及び図４に示すフローチャートを参照しつつ，上記携帯電話機１と上記テレビジョン受像機３とがＨＤＭＩ規格に準拠した信号ケーブル２により接続されたテレビジョン受像機操作システムの処理手順について説明する。
ここで，テレビジョン受像機操作システムの処理は，図１に示す様に携帯電話機１とテレビジョン受像機３が，ＨＤＭＩ規格に準拠した信号ケーブル２を通じて互いを認識した状態から開始（ＳＴＡＲＴ）される。
【００６４】
［携帯電話機］
先ず，図３に示すフローチャートを用いて携帯電話機１側の処理について説明する。以下に示すＳ１０１〜Ｓ１１２は，処理手順（ステップ）の識別符号を表ている。
（Ｓ１０１）
まず，携帯電話機１において，前記制御回路４１は，ＣＥＣ信号伝送ライン２１を通じて，テレビジョン受像機３の制御情報を要求する制御情報要求信号をテレビジョン受像機３に送信する。さらに，テレビジョン受像機３からＣＥＣ信号伝送ライン２１を通じて，テレビジョン受像機３を制御するための制御情報を受信する。
この様に，携帯電話機１は，テレビジョン受像機３からそのテレビジョン受像機３自体の制御情報を受信するので，例えば，接続されるテレビジョン受像機ごとに選局可能な放送チャンネルが異なる場合であっても，接続されたテレビジョン受像機それぞれに応じた制御を行うことが可能であり，特定のテレビジョン受像機の制御情報が予め設定されている場合に比べ，汎用性に優れている。
【００６５】
（Ｓ１０２）
前記制御回路４１は，映像処理回路４０を制御することにより，携帯電話機１の表示部１０に，図５に示す如き選択メニュー画面８を表示させる。この選択メニュー画面８は，携帯電話機１の表示部１０に表示可能な映像をテレビジョン受像機３の画像表示部３０に拡大表示させること，即ち自装置側画面の拡大表示に対応する第１アイコン８１と，携帯電話機１の操作部１１に対する操作に応じてテレビジョン受像機３を制御すること，即ち携帯電話機１をテレビジョン受像機３のリモートコントローラとして機能させることに対応する第２アイコン８２とから構成されている。
尚，図５に示す如き選択メニュー画面８は，第１アイコン８１に相当する文字列，例えば「画面拡大」と，第２アイコン８２に相当する文字列，例えば「リモコン機能」とから構成されていてもよい。又，選択メニュー画面８に対応する映像信号をテレビジョン受像機３に送信し，テレビジョン受像機３の画像表示部３０に選択メニュー画面８を表示してもよい。
【００６６】
（Ｓ１０３）
さらに，前記制御回路４１は，携帯電話機１の操作部１１に対する操作に応じて，選択メニュー画面８から第１アイコン８１と第２アイコン８２の何れかを選択する。
【００６７】
（Ｓ１０４〜Ｓ１０６）
次に，操作部１１の操作に応じて前記選択メニュー画面８の第１アイコン８１（自装置側画面の拡大表示）が選択された場合（Ｓ１０４のＹＥＳ），前記制御回路４１は，自装置側画面の映像をテレビジョン受像機の画像表示部３０に拡大表示させる様に指示するコマンド（外部入力選択コマンド）を，ＣＥＣ信号伝送ライン２１を通じてテレビジョン受像機３に送信する（Ｓ１０５）。
又，前記制御回路４１は，前記映像処理回路４０を制御することにより，ＨＤＭＩ中継回路５及びＴＭＤＳ信号伝送ライン２０を通じて，携帯電話機１からテレビジョン受像機３に対して自装置側画面の映像信号を送信する（Ｓ１０６）。
【００６８】
以後，映像処理回路４０は，制御回路４１からの指示に従って，表示部１０と信号変換回路４０との両方に同じ映像信号を出力する。即ち，携帯電話機１の表示部１０に表示されている自装置側画面が，テレビジョン受像機３の画像表示部３０に拡大表示される。
この様にして，図６に示す様に，携帯電話機１の自装置側画面が，テレビジョン受像機３の画像表示部３０に拡大表示される。
【００６９】
ところで，前述の様に，携帯電話機１は複数の機能，例えば，メールの送受信機能，地上デジタル波放送受信機能等を備えている。この様な複数の機能の中からユーザにより特定の機能が選択されるとき，携帯電話機１の自装置側画面に機能選択用のメニュー画面（不図示）が表示される。この機能選択用のメニュー画面は，携帯電話機１の各機能に対応する複数のアイコンから構成されている。このとき，前記制御回路４１は，映像処理回路４０を制御することにより，表示部１０に機能選択用メニュー画面の映像信号を出力する。
【００７０】
ユーザは，機能選択用のメニュー画面を見ながら，携帯電話機１の操作部１１に対するメニュー選択操作によって，所望の機能に対応するアイコンを選択する。このとき，制御回路４１は，操作部１１に対するメニュー選択操作に応じて実行する機能を切り替え，さらにその切り替えられた機能に対応する映像信号を表示部１０及びテレビジョン受像機３へ出力させる。
従って，携帯電話機１においては，操作部１１の操作に応じ，各機能毎に異なる様々な種類の映像が自装置側画面に表示される。このとき，映像処理回路４０は，制御回路４１からの指示に従って表示部１０に出力する映像信号を切り替える。これに応じて，テレビジョン受像機３の画像表示部３０にも様々な種類の映像が表示される。
【００７１】
例えば，ユーザによりメールの送受信機能が選択されると，受信したメール画像，或いはユーザにより作成中のメール画像が，携帯電話機１の自装置側画面に表示されると共に，該自装置側画面がテレビジョン受像機３の画像表示部３０に拡大表示される。携帯電話機１の自装置側画面とテレビジョン受像機３の画像表示部３０に長文メールの画像を表示する場合，テレビジョン受像機３の画像表示部３０においては，携帯電話機１の自装置側画面に比べ多くの文章を表示することが出来るので読み易い。この様に，メール画像等，携帯電話機１の自装置側画面の映像をテレビジョン受像機３の画像表示部３０に拡大表示することによって，その映像の内容が見易くなる。
なお，このステップＳ１０６において最初に表示部１０及びテレビジョン受像機３へ出力される映像信号は，例えば前記選択メニュー画面８の表示の直前に前記表示部１０に出力されていた映像信号である。
【００７２】
（Ｓ１０７）
携帯電話機１の自装置側画面のメール画像等が，テレビジョン受像機３の画像表示部３０に拡大表示されている状態において，前記制御回路４１は，携帯電話機１の操作部１１に対して所定の切替操作が行われたことを検知すると，処理を前述したステップＳ１０３へと戻す。これにより，携帯電話機１の自装置側画面に，図５に示す如き第１アイコン８１と第２アイコン８１とから構成された選択メニュー画面８が再び表示される。選択メニュー画面８を再表示させる切替操作は，例えば，携帯電話機１の「戻る」キーの操作等である。
【００７３】
（Ｓ１０８，Ｓ１０９）
一方，選択メニュー画面８の第２アイコン８２の選択により，携帯電話機１をテレビジョン受像機３のリモートコントローラとして機能させる選択がされた場合（Ｓ１０８），前記制御回路４１は，映像処理回路４１を制御することにより，携帯電話機３の自装置側画面に，図７に示す如き操作用画面９を表示させる（Ｓ１０９）。
図７に示すように，前記操作用画面９は，テレビジョン受像機において選局可能な放送チャンネル信号の候補それぞれに対応する複数のチャンネルアイコン９０，通電状態切替用アイコン９２，及び音量調整用アイコン９１を表示する画面である。なお，音量調整用アイコン９１は，音量アップアイコン９１ａと音量ダウンアイコン９１ｂからなる。
【００７４】
（Ｓ１１０，Ｓ１１１）
前記操作用画面９の表示中において，前記制御回路４１は，操作部１１に対する操作に応じて特定のチャンネルアイコン９０を選択する処理を実行する（Ｓ１１０）。そして，選択したチャンネルアイコン９０に対応する放送チャンネル信号をテレビジョン受像機３に選局させるためのコマンド（チャンネル選局コマンド）を，ＣＥＣ信号伝送ライン２１を通じてテレビジョン受像機３に送信する（Ｓ１１１）。
また，前記制御回路４１は，操作部１１に対する操作に応じて前記音量アップアイコン９１ａ又は前記音量ダウンアイコン９１ｂを選択（Ｓ１１０）した場合，テレビジョン受像機３にスピーカ３１からの出力音量を増幅又は減衰させるためのコマンド（音量調整コマンド）を，ＣＥＣ信号伝送ライン２１を通じてテレビジョン受像機３に送信する（Ｓ１１１）。
同様に，前記制御回路４１は，操作部１１に対する操作に応じて通電状態切替用アイコン９２を選択（Ｓ１１０）した場合，テレビジョン受像機３に通電状態を切替えさせるためのコマンド（通電状態切替コマンド）を，ＣＥＣ信号伝送ライン２１を通じてテレビジョン受像機３に送信する（Ｓ１１１）。
【００７５】
（Ｓ１１２）
前記制御回路４１は，携帯電話機１をテレビジョン受像機３のリモートコントローラとして使用している状態において，前述したステップＳ１０７と同様に操作部１１に対する切替操作を検知した場合，処理を前述したステップＳ１０３へ戻す。これにより，携帯電話機１の表示部１０に，図５に示す如き第１アイコン８１と第２アイコン８１とから構成された選択メニュー画面８が再び表示される。
【００７６】
以上の処理により，テレビジョン受像機３は，携帯電話機１から受信したチャンネル選択コマンドにより指示された特定の放送チャンネル信号に基づく映像を画像表示部３０によって表示すると共に，この特定の放送チャンネル信号の音声をスピーカ３１から出力する。
又，テレビジョン受像機３は，携帯電話機１から受信した音量調整コマンドに基づきスピーカ３１の出力音量を調整する。更に，テレビジョン受像機３は，携帯電話機１から受信した通電状態切替コマンドに基づき電源のオン又はオフの状態を切り替える。
【００７７】
この様に，本発明の実施形態に係るテレビジョン操作システムは，携帯電話機１の表示部１０に表示された映像（自装置側画面）を，テレビジョン受像機３の画像表示部３０により拡大表示することが出来，且つ，携帯電話機１をテレビジョン受像機３のリモートコントローラとして使用することが出来る。
【００７８】
［テレビジョン受像機］
次に，テレビジョン受像機側の処理手順について説明する。以下に示すＳ２０１〜Ｓ２１０は，携帯電話機１側の処理手順と同様，処理手順（ステップ）の識別符号を表ている。
【００７９】
（Ｓ２０１）
テレビジョン受像機３において，前記制御回路７１は，携帯電話機１からＣＥＣ信号伝送ライン２１を通じて前記制御情報を要求する前記制御情報要求信号を受信すると，前記ＥＥＰＲＯＭに記憶された前記制御情報を，ＣＥＣ信号伝送ライン２１を通じて携帯電話機１に送信する。
【００８０】
（Ｓ２０２〜Ｓ２０４）
次に，前記制御回路７１は，携帯電話機１からＣＥＣ信号伝送ライン２１を通じて，前記外部入力選択コマンド，即ち，携帯電話機１から受信された映像信号の選択を指示するコマンドを受信した場合（Ｓ２０２のＹＥＳ），携帯電話機１からＴＭＤＳ信号伝送ライン２０を通じて映像信号が受信されることを確認し（Ｓ２０３），さらに，前記画像切替回路７４を制御することにより，携帯電話機１から受信された映像信号に基づく映像を画像表示部３０に表示させる（Ｓ２０４）。
【００８１】
（Ｓ２０５〜Ｓ２０８）
一方，前記制御回路７１は，携帯電話機１からＣＥＣ信号伝送ライン２１を通じて前記チャンネル選局コマンドを受信した場合（Ｓ２０５のＹＥＳ），チューナ７２を制御することによりそのチャンネル選局コマンドにより指示された放送チャンネル信号を選局する（Ｓ２０６）。さらに，前記制御回路７１は，画像切替回路７４及び音声切替回路７６を制御することにより，選局した放送チャンネル信号に基づく映像を画像表示部３０に表示させると共に（Ｓ２０７），選択した放送チャンネル信号の音声をスピーカ３１から出力させる（Ｓ２０８）。その後，前記制御回路７１は，処理をステップＳ２０２へ戻す。
【００８２】
（Ｓ２０９，Ｓ２１０）
また，前記制御回路７１は，携帯電話機１からＣＥＣ信号伝送ライン２１を通じて，前記音量調整コマンドを受信すると（Ｓ２０９のＹＥＳ），その音量調整コマンドの内容に従ってアンプ７８を制御することにより，スピーカ３１の出力音量を調整する（Ｓ２１０）。
なお，前記制御回路７１は，携帯電話機１からＣＥＣ信号伝送ライン２１を通じて前記コマンドが受信されない間は，それまでの動作状態を維持させる。
【００８３】
また，図４には図示していないが，テレビジョン受像機３の前記サブＭＰＵ７５は，携帯電話機１からＣＥＣ信号伝送ライン２１を通じて，前記通電状態切替コマンドを受信すると，不図示の通電切替回路を制御することにより，当該テレビジョン受像機３の電力供給のＯＮとＯＦＦとを切替える。
【００８４】
以上に示した携帯電話機１とテレビジョン受像機３とが接続されたテレビジョン受像機操作システムは，携帯電話機１の表示部１０に表示可能な映像をテレビジョン受像機３の画像表示部３０に拡大表示させることができ，且つ，携帯電話機１の操作部１１に対する操作によって，テレビジョン受像機３を制御することが出来る。この様なテレビジョン受像機操作システムによれば，テレビジョン受像機３を制御するためのテレビジョン受像機３に対する操作が不要となり，操作の煩雑さが解消される。
【００８５】
ところで，テレビジョン受像機３において，画像表示部３０に互いに異なる映像信号に基づく映像が同時に表示される機能（いわゆるマルチ画面機能）を備えることが考えられる。
この様なテレビジョン受像機３の画像切替回路７４は，入力された複数の映像信号のうち，任意の１つ又は複数を選択して出力するマルチプレクサであり，さらに，前記映像処理回路７０が，複数の映像信号が入力された場合に，その複数の映像信号に基づいて，その複数の映像が縮小されて並ぶ１つの画面を表す映像信号を生成し，その映像信号を画像表示部３０に出力する。
【００８６】
この場合，テレビジョン受像機３は，図８に示す様に，携帯電話機１から受信した映像信号に基づく映像を画像表示部３０の第１領域３０ａに表示させ，同時に当該テレビジョン受像機３において受信した放送チャンネル信号に基づく映像を画像表示部３０の第２領域３０ｂに表示させることが出来る。
例えば，前記携帯電話機１の制御回路４１が，その操作部１０に対する所定の操作に応じて，前記ＣＥＣ信号伝送ライン２１を通じてマルチ画面表示コマンドを送信する。これに対し，前記テレビジョン受像機３の制御回路７１が，そのマルチ画面表示コマンドを受信した場合，それ以後，所定のマルチ画面解消コマンドを受信するまで，前記画像表示部３０においてマルチ画面表示がなされるよう画像切替回路７４及び画像処理回路７０を制御する。
これにより，ユーザは，テレビジョン受像機３側の放送チャンネル信号に基づく映像と，携帯電話機１側の画面との両方を同時に，画像表示部３０において視認することができる。
【００８７】
尚，上記実施形態において，テレビジョン受像機操作システムを構成する携帯型電子機器として携帯電話機１を使用したが，携帯型電子機器として電子手帳や小型ゲーム機を用いることも可能である。
又，携帯電話機が，地上デジタル波放送の受信機能を備えない場合も考えられる。又，携帯電話機１における制御回路４１が，アンテナ１２及び受信回路４３を通じて，当該携帯電話機１の位置情報を取得してＥＥＰＲＯＭに一時記憶させ，その位置情報の映像を表示部１０に表示させる機能を備えることが考えられる。この場合，前記制御回路４１が，操作部１１に対する操作に応じて映像処理回路４０及びＨＤＭＩ中継回路５を制御することにより，そのような位置情報の表示画面の映像信号を，ＴＭＤＳ信号伝送ライン２０を通じてテレビジョン受像機３に送信することも考えられる。
【産業上の利用可能性】
【００８８】
本発明は，携帯電話等，携帯型電子機器に利用可能である。
【図面の簡単な説明】
【００８９】
【図１】本発明の実施形態に係るテレビジョン受像機操作システムの全体概略図。
【図２】本発明の実施形態に係るテレビジョン受像機操作システムの概略構成を表すブロック図。
【図３】本発明の実施形態に係る携帯電話機の処理手順を表すフローチャート。
【図４】本発明の実施形態に係るテレビジョン受像機の処理手順を表すフローチャート。
【図５】携帯電話機の表示部に表示された選択メニュー画面の一例を示す図。
【図６】携帯電話機の表示部に表示された映像がテレビジョン受像機の画像表示部に表示された状態を示す図。
【図７】携帯電話機の表示部に表示された操作用画面の一例を示す図。
【図８】テレビジョン受像機の画像表示部に携帯電話機の映像と放送チャンネル信号の映像が表示表示された状態を示す図。
【符号の説明】
【００９０】
１…携帯電話機
２…信号ケーブル
３…テレビジョン受像機
４…電子回路
５…ＨＤＭＩ中継回路
６…ＨＤＭＩ接続部
８…選択メニュー画面
１０…表示部
１１…操作部
２０…ＴＭＤＳ信号伝送ライン
２１…ＣＥＣ信号伝送ライン
３０…画像表示部
４０…映像処理回路
４１…制御回路
５１…ＣＥＣインターフェース
５２…ＴＭＤＳインターフェース
６０…ＴＭＤＳインターフェース
６１…ＣＥＣインターフェース
７０…画像処理回路
７１…制御回路
【図１】
2008109341.tif 000003
【図２】
2008109341.tif 000004
【図３】
2008109341.tif 000005
【図４】
2008109341.tif 000006
【図５】
2008109341.tif 000007
【図６】
2008109341.tif 000008
【図７】
2008109341.tif 000009
【図８】
2008109341.tif 000010